(57)【特許請求の範囲】
【請求項１】
少なくとも膝関節を周回して覆い、体表に密着するインナーウェアにおいて、
脚部の長さ方向および周方向の伸縮抵抗が略同一の大きさであるベース生地部と、
膝蓋骨を覆い、前記脚部を周回することなく前身側のみで、前記膝蓋骨から大腿部および下腿部にかけて前記脚部の長さ方向にそれぞれ延在すると共に、前記脚部の長さ方向の伸縮抵抗が前記脚部の周方向の伸縮抵抗と比較して大きい強締付領域と、
前記脚部を周回することなく、前記膝蓋骨に対して大腿部側および下腿部側で前記強締付領域をそれぞれ係止する係止部と、
を備え、
素材に伸長を与えない状態から一定の伸長を与えた場合の張力をＦとし、前記脚部の長さ方向Ｌにおける強締付領域の張力ＦＬ、前記脚部の周方向Ｈにおける強締付領域の張力ＦＨ、前記脚部の長さ方向Ｌにおけるベース生地部の張力ＦＬ（Ｂ）、前記脚部の周方向Ｈにおけるベース生地部の張力ＦＨ（Ｂ）とすると、強締付領域がベース生地部と比較して強い締め付け力を持つような、下記式（１）の大小関係を有することを特徴とするインナーウェア。
ＦＬ＞ＦＨ＞ＦＬ（Ｂ）≒ＦＨ（Ｂ）＞０  ・・・（１）
【請求項２】
前記請求項１に記載のインナーウェアにおいて、
前記強締付領域は、前記膝蓋骨を覆う第１の領域と、前記大腿部において前記第１の領域から複数に分岐して周方向に広がる直線部分または曲線部分の複数の部分からなる第２の領域と、を有しており、
前記第２の領域における前記直線部分または曲線部分のそれぞれの幅が、前記大腿部において血流阻害を生じさせない幅であることを特徴とするインナーウェア。
【請求項３】
前記請求項１または２に記載のインナーウェアにおいて、
腰天の周縁部が第１の伸縮性帯であるスパッツまたはタイツであって、
前記強締付領域は、前記膝蓋骨から前記第１の伸縮性帯まで延在しており、
前記大腿部側の前記係止部は、前記第１の伸縮性帯であることを特徴とするインナーウェア。
【請求項４】
前記請求項１乃至３のいずれかに記載のインナーウェアにおいて、
腰から足先まで密着して包むタイツであって、
前記強締付領域は、前記膝蓋骨から足裏まで延在しており、
前記下腿部側の前記係止部は、前記強締付領域を前記足裏と地面または床面とで挟持するものであることを特徴とするインナーウェア。
【請求項５】
前記請求項１乃至３のいずれかに記載のインナーウェアにおいて、
足掛けを有するスパッツであって、
前記強締付領域は、前記膝蓋骨から足裏まで延在しており、
前記下腿部側の前記係止部は、前記足掛けであることを特徴とするインナーウェア。
【請求項６】
前記請求項１乃至５のいずれかに記載のインナーウェアにおいて、
前記係止部は、前記大腿部に第１の係止部を有していることを特徴とするインナーウェア。
【発明の詳細な説明】
【技術分野】
【０００１】
この発明は、着用者の日常動作を支援することのできるインナーウェアに関するものであり、特に、着用者の椅座位から立位へ移る動作（以下、「立つ」と称す）を支援するテーピング機能を具備するインナーウェアに関するものである。
【背景技術】
【０００２】
従来のスポーツ用衣服においては、伸縮性を有する素材からなるロングタイツであって、膝関節の直下の線を境界線として大腿部を構成する素材よりも下腿部を構成する素材を緊迫力が高くすることにより、大腿部より下腿部の衣服圧が高くなるようにする（例えば、特許文献１参照）。
【０００３】
また、従来の脚部を有する衣類においては、パンティストッキングであって、下腿部は足長方向に緊締力が異なる３つの輪状の部位からなり、大腿部は足長方向に緊締力が異なる２つの輪状の部位からなるため、全体として足部以外の脚部は緊締力が異なる５つの輪状の部位からなる（例えば、特許文献２参照）。
【０００４】
また、従来のタイツにおいては、腹部や臀部、脚部などの各部位に対応して最適な編組織や糸使いを採用してパンティ部の保温性やゆったり感など優れた着脱性や着用感が得られるようにしたものである（例えば、特許文献３参照）。
【０００５】
また、従来のテーピング機能タイツにおいては、膝部位置の下側で、前身頃、脛部材、脇側部材および内側部材が一つの縫合点に逢着ラインが集合し、両側からハードな伸縮強度を持った脇側部材と内側部材の両山形側端が連結されているため、着用者の膝を下側から高伸縮作用を持って支える構造になる（例えば、特許文献４参照）。
【０００６】
また、従来の運動用スパッツにおいては、運動に必要な筋肉のサポートの要求に応じて、所定部分に比較的締結力の強い部分とそれ以外の比較的締結力の弱い部分がパターン状に設けられており、比較的締結力の強い部分が、カットボス編手法によって形成された部分である（例えば、特許文献５参照）。
【０００７】
また、従来の運動支援タイツにおいては、着用者の腰から大腿外側、下腿内側に延びる帯状の第３の領域は、第１領域および第２領域と同等またはそれ以下の締め付け力を有する。一方、着用者の大腿内側から下腿外側に伸び、着用者の膝の上部で第３領域と交差する帯状の第４領域は、第１領域、第２領域および第３領域より締め付け力が弱いが、その他の領域（弱領域）より締め付け力を強くする（例えば、特許文献６参照）。
【特許文献１】特開平１０−１３０９１５号公報（第３頁−第４頁、図３、図４）
【特許文献２】特開２０００−２９０８０６号公報（第３頁−第４頁、図２）
【特許文献３】特開２００４−３４６４３４号公報（第４頁−第７頁、図１−図３）
【特許文献４】特開平１１−１２８１４号公報（第３頁−第５頁、図１、図３）
【特許文献５】特開２００１−２１４３０３号公報（第９頁−第１５頁、図１２−図４９）
【特許文献６】特開２００４−２３８７８９号公報（第４頁−第５頁、図１−図４）
【発明の開示】
【発明が解決しようとする課題】
【０００８】
従来のパンティストッキングおよびタイツは、優れた着脱性や着用感を求めたものであり、膝関節動作を支援するものではなかった。
また、従来のテーピング機能タイツ、運動用スパッツおよび運動支援タイツは、筋肉の余分な振動を抑えるために、大腿部において高い締結力を有する領域を脚部の周方向にわたって有しているため、大腿部における脚部の周方向の締め付けが、血流阻害を起こし、着用者に不快感を生じさせるという問題点があった。また、脚部末梢部の皮膚血流量や皮膚温を大きく低下させるという問題点があった。特に、中高齢者においては、強い圧迫により脚部に塑性変形（皮膚表面組織のつぶれ）が生じるという問題点があった。なお、膝は脚部における寸法変化が著しいために、従来のテーピング機能タイツ、運動用スパッツおよび運動支援タイツでは、脚部を屈曲しやすいように、高い締結力を有する領域が、膝関節を覆わないようにしていた。
【０００９】
この発明は、上述のような課題を解決するためになされたもので、大腿部を脚部の周方向に締め付けることなく膝関節動作を支援することができるインナーウェアを提供することを目的とする。
【課題を解決するための手段】
【００１０】
この発明に係るインナーウェアにおいては、少なくとも膝関節を周回して覆い、体表に密着するインナーウェアにおいて、脚部の長さ方向および周方向の伸縮抵抗が略同一の大きさであるベース生地部と、膝蓋骨を覆い、脚部を周回することなく前身側のみで、膝蓋骨から大腿部および下腿部にかけて脚部の長さ方向にそれぞれ延在すると共に、脚部の長さ方向の伸縮抵抗が脚部の周方向の伸縮抵抗と比較して大きい強締付領域と、脚部を周回することなく、膝蓋骨に対して大腿部側および下腿部側で強締付領域をそれぞれ係止する係止部と、を備え、素材に伸長を与えない状態から一定の伸長を与えた場合の張力をＦとし、脚部の長さ方向Ｌにおける強締付領域の張力ＦＬ、脚部の周方向Ｈにおける強締付領域の張力ＦＨ、脚部の長さ方向Ｌにおけるベース生地部の張力ＦＬ（Ｂ）、脚部の周方向Ｈにおけるベース生地部の張力ＦＨ（Ｂ）とすると、強締付領域がベース生地部と比較して強い締め付け力を持つような、ＦＬ＞ＦＨ＞ＦＬ（Ｂ）≒ＦＨ（Ｂ）＞０という大小関係を有する。
【００１１】
また、この発明に係るインナーウェアにおいては、必要に応じて、強締付領域は、膝蓋骨を覆う第１の領域と、大腿部において第１の領域から複数に分岐して周方向に広がる直線部分または曲線部分の複数の部分からなる第２の領域と、を有しており、第２の領域における直線部分または曲線部分のそれぞれの幅が、大腿部において血流阻害を生じさせない幅である。
【００１２】
また、この発明に係るインナーウェアにおいては、必要に応じて、腰天の周縁部が第１の伸縮性帯であるスパッツまたはタイツであって、強締付領域は、膝蓋骨から第１の伸縮性帯まで延在しており、大腿部側の係止部は、第１の伸縮性帯である。
【００１３】
また、この発明に係るインナーウェアにおいては、必要に応じて、腰から足先まで密着して包むタイツであって、強締付領域は、膝蓋骨から足裏まで延在しており、下腿部側の係止部は、強締付領域を足裏と地面または床面とで挟持するものである。
【００１４】
また、この発明に係るインナーウェアにおいては、必要に応じて、足掛けを有するスパッツであって、強締付領域は、膝蓋骨から足裏まで延在しており、下腿部側の係止部は、足掛けである。
さらに、この発明に係るインナーウェアにおいては、必要に応じて、係止部は、大腿部に第１の係止部を有している。
【発明の効果】
【００１５】
この発明は、インナーウェアが、少なくとも膝関節を周回して覆い、体表に密着するインナーウェアにおいて、脚部の長さ方向および周方向の伸縮抵抗が略同一の大きさであるベース生地部と、膝蓋骨を覆い、脚部を周回することなく前身側のみで、膝蓋骨から大腿部および下腿部にかけて脚部の長さ方向にそれぞれ延在すると共に、脚部の長さ方向の伸縮抵抗が脚部の周方向の伸縮抵抗と比較して大きい強締付領域と、脚部を周回することなく、膝蓋骨に対して大腿部側および下腿部側で強締付領域をそれぞれ係止する係止部と、を備え、素材に伸長を与えない状態から一定の伸長を与えた場合の張力をＦとし、脚部の長さ方向Ｌにおける強締付領域の張力ＦＬ、脚部の周方向Ｈにおける強締付領域の張力ＦＨ、脚部の長さ方向Ｌにおけるベース生地部の張力ＦＬ（Ｂ）、脚部の周方向Ｈにおけるベース生地部の張力ＦＨ（Ｂ）とすると、強締付領域がベース生地部と比較して強い締め付け力を持つような、ＦＬ＞ＦＨ＞ＦＬ（Ｂ）≒ＦＨ（Ｂ）＞０という大小関係を有することにより、大腿直筋および外側広筋に対する筋負担を低減することができ、特に「立つ」において顕著に筋負担を低減することができる。
【００１６】
また、この発明に係るインナーウェアにおいては、必要に応じて、強締付領域は、膝蓋骨を覆う第１の領域と、大腿部において第１の領域から複数に分岐して周方向に広がる直線部分または曲線部分の複数の部分からなる第２の領域と、を有しており、第２の領域における直線部分または曲線部分のそれぞれの幅が、大腿部において血流阻害を生じさせない幅であることにより、強締付領域による大腿部に対する圧力を分散することができ、大腿部における血流阻害を抑制することができる。
【００１７】
また、この発明に係るインナーウェアにおいては、必要に応じて、腰天の周縁部が第１の伸縮性帯であるスパッツまたはタイツであって、強締付領域は、膝蓋骨から第１の伸縮性帯まで延在しており、大腿部側の係止部は、第１の伸縮性帯であることにより、ウエストで強締付領域を強固に係止することができる。
【００１９】
また、この発明に係るインナーウェアにおいては、必要に応じて、腰から足先まで密着して包むタイツであって、強締付領域は、膝蓋骨から足裏まで延在しており、下腿部側の係止部は、強締付領域を足裏と地面または床面とで挟持するものであることにより、足裏で強締付領域を強固に係止することができる。
【００２０】
また、この発明に係るインナーウェアにおいては、必要に応じて、足掛けを有するスパッツであって、強締付領域は、膝蓋骨から足裏まで延在しており、下腿部側の係止部は、足掛けであることにより、足掛けで強締付領域を強固に係止することができる。
【００２１】
さらに、この発明に係るインナーウェアにおいては、必要に応じて、係止部は、大腿部に第１の係止部を有していることにより、座位における腰部からのインナーウェアの浮き上がりが生じた場合であっても、強締付領域を第１の係止部によって係止することができる。
【発明を実施するための最良の形態】
【００２２】
（本発明の第１の実施形態）
図１はこの発明を実施するための第１の実施形態におけるタイツを示す正面図、図２は図１に示すタイツにおける強締付領域の編組織概略構成図である。
図１および図２において、インナーウェアは、着用者の少なくとも膝関節を周回して覆い、体表に密着している。例えば、着用者の膝関節の保護に用いるゴム布製のサポータ、着用者の腰から足先まで密着して包むタイツ、または伸縮性のある素材で作った着用者の脚に密着する長いパンツ状のスパッツ若しくはスポーツタイツなどが挙げられる。なお、この第１の実施形態においては、インナーウェアとしてタイツ１を用いて説明する。
タイツ１は、パンティ部２、レッグ部３およびフート部４の三部に大別される。
【００２３】
パンティ部２は、腰天２ａのゴムテープの部分であるウエスト・バンド２ｂと、着用者の腰部を覆う部分であるパンティ２ｃと、着用者の股部の添え生地であるガセット２ｄとを備え、腰天２ａから身部切替えまでの部分の総称である。
【００２４】
また、レッグ部３は、レッグ部３のうち着用者の大腿部に対応する部分である太股３ａと、レッグ部３の中心部分であり着用者の膝蓋骨中点に対応する部分であるレッグ３ｂと、後述するヒール４ａ上部で着用者の踝の辺りに対応する最狭の部分であるアンクル３ｃとを備え、太股３ａからアンクル３ｃまでの部分の総称である。
【００２５】
また、フート部４は、着用者のかかとに対応する部分を補強する部分であるヒール４ａと、着用者の足裏に対応する部分であるソール４ｂと、着用者の爪先に対応する部分を補強する部分であるトウ４ｃとを備え、ヒール４ａからトウ４ｃまでの総称である。
【００２６】
なお、タイツ１は、既存の靴下編機により筒状に編んだ一対の編地を用いて、パンティ２ｃに相当する部分に切れ目を入れて裁断縁同士を付き合わせて縫着して一体化し、トウ４ｃを袋状に縫着したものであり、後述する強締付領域５および係止部６以外は周知の手段により編み上げたものである。また、レッグ部３における強締付領域５および係止部６を除いた部分であるベース生地部７は、伸縮性のある編地であり、平編、タック編、浮き編、パイル編などで編成されてなる構成である。
【００２７】
強締付領域５は、タイツ１の前身側に有し、着用者の膝蓋骨を覆い、膝蓋骨から大腿部および下腿部にかけて脚部の長さ方向Ｌにそれぞれ延在する。すなわち、強締付領域５は、レッグ部３において、レッグ３ｂを中心とした着用者の膝蓋骨に対応する部分を覆う第１の領域８を含み、第１の領域８から太股３ａおよびアンクル３ｃにかけてレッグ部３の長さ方向Ｌにそれぞれ延在する。なお、この第１の実施形態においては、強締付領域５が、膝蓋骨中点に対して大腿部側２０ｃｍの位置から脚部の長さ方向Ｌに沿って下腿部側に約２９ｃｍの位置まで延在しているが、この長さに限られるものではない。
【００２８】
また、強締付領域５は、着用者の脚部の長さ方向Ｌにおける伸縮抵抗が、脚部の周方向Ｈにおける伸縮抵抗と比較して大きい。
ここで、素材に伸長を与えない状態から一定の伸長を与えた場合の張力をＦとし、長さ方向Ｌにおける強締付領域５の張力ＦL、脚部の周方向Ｈにおける強締付領域５の張力ＦH、長さ方向Ｌにおけるベース生地部７の張力ＦL（Ｂ）、周方向Ｈにおけるベース生地部７の張力ＦH（Ｂ）とすると、強締付領域５がベース生地部７と比較して強い締め付け力を持つような、ＦL＞ＦH＞ＦL（Ｂ）≒ＦH（Ｂ）＞０という大小関係を持たせることが好ましい。
【００２９】
また、強締付領域５は、着用者の膝蓋骨に対して大腿部側および下腿部側における係止部６でそれぞれ係止されている。なお、この第１の実施形態においては、係止部６は、着用者の大腿部に対応する位置である太股３ａに第１の係止部６ａと、着用者の下腿部に対応する位置である第１の領域８からアンクル３ｃまでの間に第２の係止部６ｂとを有し、レッグ部３の長さ方向Ｌにある強締付領域５の上端５ａおよび下端５ｂが第１の係止部６ａおよび第２の係止部６ｂにそれぞれ近接している。
【００３０】
また、第１の係止部６ａの摩擦係数が、強締付領域５の摩擦係数と比較して大きくなるように、タイツ１の裏地面を形成している。また、第２の係止部６ｂの摩擦係数が、強締付領域の摩擦係数と比較して大きくなるように、タイツ１の裏地面を形成している。
【００３１】
つぎに、強締付領域５の編組織について、図２を用いて説明する。
この第１の実施形態においては、強締付領域５に添え糸編とゴム編（リブ編、あぜ編）とを併用して編地としている。なお、添え糸編は、ゴム編の地編糸９ａの他に他の編糸９ｂを添えて給糸することで、強締付領域５の長さ方向Ｌの伸縮を適度に抑えており、強締付領域５とベース生地部７との境界において他の編糸９ｂをカットしている（以下、カットボスと称す）。
ここで、ループのよこの列をコースＣ、たての行をウェールＷとする。
【００３２】
図２に示すように、たて方向に表目のウェールと裏目のウェールとが交互に並ぶ編み目で、１ウェールごとに表目と裏目とを配列したものを１×１ゴム編としているが、２×１ゴム編、３×２ゴム編など多数の変化ゴム編としてもよい。また、図示しないパール編がたて方向に対して著しい伸縮性があるのに対して、この編地はよこ方向に対して伸縮性がある。図２において、糸の繋がりが理解しやすいように、地編糸９ａ（他の編糸９ｂ）を１コースおきに実線と破線とで図示している。なお、強締付領域５は長さ方向Ｌの伸縮抵抗が周方向Ｈの伸縮抵抗と比較して大きいのであれば、この編組織や添え糸に限られるものでもなく、例えば、１ウェールＷおきに編地の間に編み目を作らずにゴム糸を編み込んだ挿入編を施してもよい。
【００３３】
つぎに、係止部６の編組織について説明する。
この第１の実施形態においては、強締付領域５の上端５ａおよび下端５ｂに近接するベース生地部７の一部に地編糸の他に、ナイロンの細い繊維をウール状にした繊維（以下、ウーリーナイロンと称す）を添えてカットボスを行なうことで、強締付領域５の摩擦係数に対して係止部６の摩擦係数を大きくしている。
【００３４】
なお、強締付領域５の摩擦係数に対して係止部６の摩擦係数を大きくできるのであれば、この編組織や添え糸であるウーリーナイロンに限られるものでもなく、摩擦係数の大きい材質の物をベース生地部７の裏地面として縫製してもよいし、ポリウレタン樹脂などの樹脂でベース生地部７の裏地面にコーティング加工を施してもよい。
【００３５】
つぎに、この第１の実施形態における強締付領域５による効果について、本願発明を創作するにあたり原理となった、伸縮性をもつテープを膝関節に使用したテーピングによる効果を検証することで説明する。
【００３６】
図３（ａ）はＳタイプによる脚のテーピング方法を示した説明図、図３（ｂ）はＸタイプによる脚のテーピング方法を示した説明図、図４（ａ）は長さ方向におけるテープおよびタイツ素材の伸長特性を示したグラフ、図４（ｂ）は幅方向におけるテープおよびタイツ素材の伸長特性を示したグラフ、図５は筋電位の測定部位を示した説明図、図６（ａ）は「立つ」と「座る」の運動時に記録された生波形を示した筋電図、図６（ｂ）は図６（ａ）に示す生波形を整流した波形を示した筋電図、図７は素足にテーピングを行なった場合の「立つ」と「座る」の運動時の積分筋電図、図８は素足にテーピングを行なった場合の大腿直筋および外側広筋の積分筋電図の変化率を示したグラフ、図９はタイツにテーピングを行なった場合の「立つ」と「座る」の運動時の積分筋電図、図１０はタイツにテーピングを行なった場合の大腿直筋および外側広筋の積分筋電図の変化率を示したグラフ、図１１は立位および椅座位におけるタイツ着用時の衣服圧の分布を示すグラフ、図１２は「立つ」における大腿直筋と外側広筋との積分筋電図の変化率の関係を示すグラフである。
【００３７】
まず、実験方法について説明する。
本実験で用いたテープ１０の幅は７．５ｃｍであり、テーピング方法は、図３に示すように、本願発明に対応するテーピング方法１（以下、Ｓタイプと称す）と、膝蓋骨を下部から支えるような従来のタイツに対応するテーピング方法２（以下、Ｘタイプと称す）との２種類について実験した。
【００３８】
Ｓタイプは、被験者に膝を約３０°軽く曲げさせた状態で、膝蓋骨中点１１を中心として上方に約２０ｃｍの位置から脚部１２の長さ方向Ｌに約２９ｃｍのテープ１０をやや引張り気味にしてストレートにテーピングを行なった。
【００３９】
また、Ｘタイプは、膝蓋骨中点１１より約２０ｃｍ上方の大腿外側面および内側面から、Ｓタイプと同様にテープ１０を引張り気味にし、膝蓋骨の両サイドまでストレートにテーピングを行い、その後、２本のテープ１０で膝蓋骨を挟み込むように膝蓋骨下縁でクロスさせ、各テープ１０の片端を内側顆および外側顆の下方まで貼付した。
これら２種類のテーピングを、素足（以下、Ｃと称す）およびノーマルタイプのスポーツタイツ（以下、Ａと称す）の上から行なった。
【００４０】
被験者は、年齢１９歳〜２１歳、身長１６０．９±６．０ｃｍ、体重５７．４±４．０ｋｇ、ＢＭＩ２２．３±１．９である、全国平均レベルの体型をもつ女子大学生８名とした。
被験者８名のうち５名は、素足、素足にＳおよびＸタイプのテーピングを行なった３種の実験を行なった。また、全被験者（８名）が、スポーツタイツのみ（Ａ）、スポーツタイツ着用後にＳタイプ（以下、Ａｓと称す）およびＸタイプ（以下、Ａｘと称す）のテーピングを行なった３種の実験を行なった。
【００４１】
なお、テーピング前後のテープ１０の長さからテープ１０の伸長率εを算出した結果、Ｓタイプで平均約２２．２±４．８％、Ｘタイプで平均約２８．１±４．９％であった。
テープおよびタイツ素材の伸長特性の測定には、引張り・せん断測定装置（カトーテック製，ＫＥＳＦＢ１−ＡＵＴＯ−Ａ）を用い、測定条件を引張速度０．２ｍｍ／ｓｅｃ、つかみ長さ５．０ｃｍ、最大荷重２．９Ｎ／ｃｍとし、つかみ幅をテープ幅と同じ７．５ｃｍとした。
【００４２】
図４に示すように、テープ（Ｔ0）は、長さ方向でみると、伸長率が約６０％までは非線形性が大きく、非常によく伸びるが、それ以上では非常に急激に伸びにくくなることがわかる。また、幅方向においては、テープがワンウエイ・ストレッチ素材であるためほとんど伸びていない。スポーツタイツ（Ａ）はツーウエイ・ストレッチ素材であり、脚部の長さ方向、周方向ともに６０〜７０％までは直線的に伸びるが、それ以降ではやや伸びにくい。しかし、テーピングを行なったタイツ素材（Ａ＋Ｔ）では、テープの伸びかたさが加わり、伸びにくくなっている。また、テープの長さ方向における繰返し引張りによる１５回目（Ｔ15）の特性は、Ｔ0に比べてやや伸び抵抗が小さくなるものの大きな相違はみられず、回復性の良いものであった。
【００４３】
スポーツタイツの衣服圧測定には、ＡＭＩ３０３７衣服圧測定装置を使用し、直径２０ｍｍのエアパックセンサーに、厚さ約１ｍｍとなるよう空気を約０．３ｍｌ封入して用いた。測定箇所は、図１１に示すように、1)大腿直筋上、2)大腿二頭筋上、3)外側広筋上、4)大腿最小前面、5)膝蓋骨中点の計５箇所である。測定時の姿勢は立位および椅座位とした。
【００４４】
筋電位の測定には、被験者は、１９．０±２．０℃、５５．０±５．５％ＲＨの実験室において、綿１００％の半袖Ｔシャツとトレーニングウエアの上着、ポリエステル１００％のトレーニング用短パン、下腿部を被覆しないスニーカーソックスを着用した。また、スニーカーは、普段から各自が履き慣れているものを用いた。
【００４５】
被験者は、膝関節動作時における活動筋への影響をみるために、各自の座位膝窩高と同じ高さに調整した椅子を用い、６０回／分のテンポで一定のリズムを刻むメトロノームの発信音に合わせて立位と座位の往復運動を行なった。
【００４６】
座位から立位への運動（１秒）、静止（１秒）、立位から座位への運動（１秒）および静止（１秒）を１回として、１５回行なった。その後、約１０分間休憩した後、試料を取り替え、実験を繰り返した。実験は計２日間行なった。
【００４７】
１日目は、素足状態（Ｃ）でまず実験を行い、次に、２種類のテーピングＳおよびＸについて、テーピングを行なう順番をランダムにして実験を行なった。２日目は、タイツ試料Ａ、Ａｓ、Ａｘについて、着用の順序をランダムにして同様の実験を行なった。
【００４８】
図５に示すように、筋電位の測定部位は、膝関節運動に大きな影響を及ぼすと考えられる大腿部前面にある大腿直筋１３（Ｒｅｃｔｕｓ  ｆｅｍｏｒｉｓ  ｍｕｓｃｌｅ：Ｒ．Ｆ．）および外側広筋１４（Ｖａｓｔｕｓ  ｌａｔｅｒａｌｉｓ  ｍｕｓｌｅ：Ｖ．Ｌ．）、並びに大腿部後面にある大腿二頭筋１５（Ｂｉｃｅｐｓ  ｆｅｍｏｒｉｓ  ｍｕｓｃｌｅ：Ｂ．Ｆ．）の計３箇所であり、利き足などにより筋電位に差が出ないように、測定は全て右脚で行なった。
双極電極法により、各筋腹上の活動電位を多チャンネル増幅器（日本光電株式会社製）により増幅させ、筋電図（ｅｌｅｃｔｒｏｍｙｏｇｒａｍ：ＥＭＧ）を記録した。
【００４９】
つぎに、筋電図の解析方法について説明する。
椅座位から立位へ移る動作（「立つ」）、立位から椅座位へ移る動作（以下、「座る」と称す）においては、図６（ａ）に示すように、ともに大腿直筋１３、外側広筋１４および大腿二頭筋１５が使用されるが、これらの振幅の大きさをみてみると、「立つ」では、すべての筋が動作変更時だけでなく、立位姿勢の静止状態中においても使用されており、その傾向は特に大腿直筋１３で顕著である。
【００５０】
また、「座る」では、電位の発生が瞬間的であることがわかる。
筋電図（ＥＭＧ）の解析は、ＢＩＭＴＵＳII（キッセイコムテック株式会社製）を用い、筋電図の生波形に対して基線レベルを０に合わせた後、全波整流を行い（図６（ｂ））、一定時間における筋電図の積分値（以下、積分筋電図（ＩＥＭＧ）と称す）を算出して検討した。算出式は次式（１）に示す通りである。
【００５１】
0004719884.tif 000002
【００５２】
Ｉ
ＥＭＧは、「立つ」および「座る」の各動作につき、動作変更時の1秒間において算出し、被験者が運動のリズムに慣れるまでの最初の５回を削除して、動作毎に平均値を求めた。一般に、筋負荷が大きいほど積分筋電図は大きいことが知られている。
【００５３】
つぎに、解析結果について説明する。
なお、図６（ａ）は、筋電図の生波形において大腿四頭筋である大腿直筋１３と外側広筋１４とが大きく働くこと（大腿二頭筋１５はほとんど働かないこと）を示しており、「立つ」と「座る」の両方で膝関節伸展運動に関与する筋が主働筋であることを示している。
【００５４】
まず、素足時におけるテーピングの積分筋電図への影響について説明する。
図７は素足（Ｃ）並びに素足にテーピングを行なったＳおよびＸタイプでの「立つ」と「座る」の積分筋電図を示している。
【００５５】
図７に示すように、「立つ」では、大腿直筋１３、外側広筋１４および大腿二頭筋１５のすべての筋において素足よりもテーピングを行なった場合にＩＥＭＧが小さく、大腿直筋１３および外側広筋１４においては、Ｓタイプで筋の活動量が、Ｘタイプより小さく、Ｃより有意に小さかった（＊：ｐ＜０．０５）。
【００５６】
また、「座る」でのＩＥＭＧは、統計的にＣより有意ではないが、外側広筋１４のＩＥＭＧはＣ＞Ｘ＞Ｓという大小関係となり、Ｓタイプで最も筋の活動量が小さい傾向がみられた。しかしながら、大腿直筋１３の積分筋電図については、「立つ」の筋活動量の約７０％に減少し、テーピング間の差がほとんどみられなかった。
【００５７】
なお、積分筋電図は、被験者の筋の大きさ、動作時における筋の使い方、脂肪の付き方などの違いによる個人差が大きいといわれていることから、次式（２）を用いて、各被験者の素足（Ｃ）からの積分筋電図の変化率（以下、ΔＩＥＭＧと称す）を算出して解析を行なった。ここで、Ｅｃは素足時のＩＥＭＧ、Ｅはテーピング時のＩＥＭＧである。
【００５８】
ΔＩＥＭＧ＝（（Ｅ−Ｅｃ）／Ｅｃ）×１００            ・・・（２）
図８は膝関節運動への関与が大きかった大腿直筋１３および外側広筋１４のΔＩＥＭＧを示しており、「立つ」において、σRF.S＝７．８８、σRF.X＝８．２６、σVL.S＝８．７２、σVL.X＝１４．１１であり、「座る」において、σRF.C＝１１．１０、σRF.S＝１６．６１、σVL.S＝１４．６２、σVL.X＝１７．９６である。なお、σは標準偏差の平均値、σの添え字は筋と試料を表記している。
【００５９】
図８に示すように、「立つ」においては、ＳおよびＸタイプで大腿直筋１３および外側広筋１４のΔＩＥＭＧが約５〜１０％減少し、Ｘタイプに比べてＳタイプでその減少が大きかった。
【００６０】
以上の結果を膝関節運動に伴うテープの伸長特性から考察するために、被験者１名に対して、静置状態において５ｃｍごとにラインを印したテープを用いてＳ及Ｘタイプのテーピングを行い、立位時および椅座位時におけるテープの伸長率を算出した。
【００６１】
これによると、Ｓタイプでは、膝蓋骨上付近のテープの伸長率が立位時に約２０％であるのに対して、椅座位時では約５０％と大きな伸長が認められた。このことから、「立つ」においては、伸長したテープの回復力が大腿前面における筋の収縮を補助するため、素足よりもＳタイプで大腿直筋１３および外側広筋１４においてΔＩＥＭＧが減少したと考察される。
【００６２】
これに対して、Ｘタイプでは、膝蓋骨周辺でのテープの伸長率は立位時、椅座位時ともに約２０％であり、動作に伴うテープの伸長率変化が小さく、Ｓタイプほど筋活動の抑制を促進しなかったと考えられる。
【００６３】
また、図８に示すように、「座る」においては、大腿直筋１３のΔＩＥＭＧがＳタイプおよびＸタイプともに素足時と同程度であるに対して、外側広筋１４のΔＩＥＭＧではＳタイプで約１０％減少した。このことは、「座る」に伴うテープの伸び抵抗が動作へのブレーキの役割を果たし、筋の伸張性収縮を補助したためと推察される。なお、Ｘタイプでは外側広筋１４においてもΔＩＥＭＧはほぼ０であった。
【００６４】
以上の結果から、膝蓋骨を挟み込むように固定するＸタイプに比べて、膝蓋骨を大腿部前面から下腿部前面にかけて直線的にテーピングするＳタイプが、「立つ」や「座る」などの膝関節運動において、テープの伸縮性が大腿直筋１３および外側広筋１４の活動を補助し、筋負担を軽減できると考えられる。
【００６５】
つぎに、スポーツタイツ着用におけるテーピングの積分筋電図への影響について説明する。
図９はタイツ着用時において「立つ」と「座る」を行なった時の積分筋電図を示している。
【００６６】
図９に示すように、「立つ」と「座る」との両動作で、タイツにおいてもテーピングを行なうことで、ＩＥＭＧがテーピングを行なう前に比べてやや小さくなる傾向がみられた。
【００６７】
前述した素足時におけるテーピングの場合と同様に、「立つ」と「座る」への関与が大きい大腿直筋１３および外側広筋１４において、タイツのみの着用時の各筋における積分筋電図を基準として、変化率ΔＩＥＭＧを前式（２）より求めた。その結果を図１０に示す。
【００６８】
図１０は膝関節運動への関与が大きかった大腿直筋１３および外側広筋１４のΔＩＥＭＧを示している。
図１０に示すように、「立つ」においては、ΔＩＥＭＧはＡｓ、Ａｘともに大腿直筋１３で約−５％、外側広筋１４で約−１０％であり、ＡｘよりＡｓで減少幅が大きい傾向がみられ、これらは前述した素足時におけるテーピングの場合の結果（図８）とほぼ同様であった。
【００６９】
ここで、図１１に示すように、「立つ」および「座る」における衣服圧の相違は、丸数字５膝蓋骨中点で最も大きく、椅座位時の丸数字５膝蓋骨中点の衣服圧は、Ａｓで約８ｋＰａ、Ａｘで約６．５ｋＰａ、Ａで約５ｋＰａとなっている。衣服圧は布地の張力に比例することから、Ａｓ＞Ａｘ＞Ａの順に伸長からの回復力が大きく、これが大腿直筋１３および外側広筋１４の筋収縮を補助するため、筋負担が軽減できたものと思われる。
【００７０】
これに対して、図１０に示すように、「座る」においては、大腿直筋１３のＡｓのみでΔＩＥＭＧが約５％減少する傾向がみられ、他の筋への効果はみられなかった。この原因として、スポーツタイツの場合には、動作に伴う身体寸法の増加分の一部がスポーツタイツの躯幹部側へのずれによって補われると考えられる。すなわち、テープを皮膚に直接貼る場合より、筋の伸張性収縮の補助作用が減少する。
【００７１】
以上の結果から、素足へのテーピングのみならずタイツにテーピングを行なった場合にも、特に「立つ」において、Ｓタイプのテーピングが膝関節動作における大腿直筋１３および外側広筋１４への筋負担を軽減することがわかった。
【００７２】
最後に、活動筋間の相互関係について説明する。
素足およびタイツにテーピングを行なうことによって膝関節運動への影響が大きかった「立つ」における、大腿直筋１３および外側広筋１４において、両者の変化割合を検討した。
【００７３】
図１２に示すように、横軸の外側広筋１４のΔＩＥＭＧは、素足の場合もタイツ着用の場合もテーピングによる効果はほぼ同様であるが、大腿直筋１３においては、タイツにテーピングを行なった場合は素足の場合に比べてΔＩＥＭＧの減少幅が小さかった。これは、前述したように、動作に伴うタイツのずれが原因と考えられ、タイツにテーピングを行っても素足ほど大きなテーピングによる効果は得られないことを示している。
【００７４】
以上のように、本願発明に対応する、膝蓋骨中点を中心として大腿部から下腿部にかけて脚部の長さ方向に締め付け力を強くしたテーピング方法１（Ｓタイプ）は、従来のタイツに対応する、膝蓋骨を覆わず膝蓋骨の下縁でテーピングをクロスさせるテーピング方法２（Ｘタイプ）と比較して、「立つ」および「座る」などの膝関節動作時における大腿直筋１３および外側広筋１４への筋負担を軽減できる。特に、「立つ」において、Ｓタイプのテーピングが膝関節動作における大腿直筋１３および外側広筋１４への筋負担を軽減することができる。
【００７５】
すなわち、この第１の実施形態におけるタイツ１のように、強締付領域５が着用者の膝蓋骨を覆い膝蓋骨から大腿部前面および下腿部前面にかけて脚部の長さ方向Ｌにそれぞれ延在していることで、素足、強締付領域を有さない通常のタイツ、および膝蓋骨を強締付領域で覆わない従来のタイツに対して、膝関節動作時における大腿直筋１３および外側広筋１４への筋負担を軽減できる。特に「立つ」に伴う活動筋負担の減少という視点から非常に有用である。
【００７６】
また、「立つ」においては、強締付領域５によるたて伸び（長さ方向Ｌの伸び）の回復力（張力の回復）が大腿直筋および外側広筋を補助して、筋負担を５〜１０％低減することができる。また、「座る」においては、筋の伸張性収縮を補助し、急激な膝関節動作をたて伸び（長さ方向Ｌの伸び）抵抗により防ぐことができる。このように、この第１の実施形態におけるタイツ１は、着用者の椅座位、立位または歩行などの動作に伴う身体の長さ方向の寸法変化を利用し、強締付領域５のたて方向（長さ方向Ｌ）に生じる張力とその回復力を利用するものである。
【００７７】
また、強締付領域５を脚部の幅方向Ｈに延在させないことで、強締付領域５によるフープテンション（周方向応力）を発生させず、脚部の血流を阻害することを防止することができる。
【００７８】
また、この第１の実施形態におけるタイツ１においては、素足にテーピングを行なう場合のような、テープの粘着剤によるかぶれや粘着テープの繰り返しの使用による角質剥離などの皮膚障害が生じることを防止することができる。
【００７９】
なお、強締付領域５が着用者の膝蓋骨を覆い膝蓋骨から大腿部および下腿部にかけて脚部の長さ方向にそれぞれ延在しているだけのタイツでは、着用者の体表とタイツとのずれにより、素足にＳタイプのテーピングを行なう場合と比較して、強締付領域５による効果が低減するが、この第１の実施形態においては、強締付領域５を着用者の膝蓋骨に対して大腿部側および下腿部側における係止部６でそれぞれ係止していることで、係止部６における着用者の体表とタイツ１とのずれを抑制して、強締付領域５による効果を向上させることができる。
【００８０】
さらに、大腿部および下腿部の前身側には静脈が通っているものの、膝蓋骨の前身側には静脈が通っていない（膝蓋骨の後身側を静脈が通る）ために、強締付領域５が前身側から着用者の膝蓋骨に圧力を加えた場合であっても、膝関節において血流阻害を生じることもない。
【００８１】
また、この第１の実施形態においては、インナーウェアとしてタイツ１を用いて説明したが、サポータ、スパッツ又はスポーツタイツなどの着用者の少なくとも膝関節を周回して覆い体表に密着しているインナーウェアであれば、強締付領域５及び係止部６を対応する位置に設けることで、同様の作用効果を奏することができる。
【００８２】
（本発明の第２の実施形態）
図１３はこの発明を実施するための第２の実施形態におけるタイツを示す正面図である。図１３において、図１と同じ符号は、同一または相当部分を示し、その説明を省略する。
強締付領域５は、着用者の膝蓋骨を覆う第１の領域８と、着用者の大腿部において第１の領域８から複数に分岐して周方向に広がる直線部分または曲線部分の複数の部分からなる第２の領域１６とを有している。なお、この第２の実施形態においては、強締付領域５が、太股３ａにおいて、第１の領域８から、レッグ部３の長さ方向Ｌに延在する直線部分１６ａと、直線部分１６ａを基準として周方向にそれぞれ広がる２本の曲線部分１６ｂとを有している。
また、第２の領域１６における直線部分１６ａおよび曲線部分１６ｂのそれぞれの幅が、着用者の大腿部において血流阻害を生じさせない幅である。
【００８３】
なお、この第２の実施形態においては、強締付領域５が着用者の大腿部において第１の領域８から複数に分岐して周方向に広がる直線部分または曲線部分の複数の部分からなる第２の領域１６とを有しているところのみが第１の実施形態と異なるところであり、後述する第２の領域１６による作用効果以外は、第１の実施形態と同様の作用効果を奏する。
【００８４】
着用者の大腿部においては、強締付領域５の幅を広くしすぎると、着用者の脚部の周方向Ｈに対する締め付けとなり、着用者にとって不快感を生じさせる。また、血流阻害を生じさせる恐れもある。
【００８５】
そこで、この発明の第２の実施形態のインナーウェアによれば、強締付領域５が着用者の大腿部において、血流阻害を生じさせない幅の直線部分１６ａまたは曲線部分１６ｂの複数の部分からなる第２の領域１６であることにより、強締付領域５による締め付け力を確保しつつ、強締付領域５による着用者の大腿部に対する圧力を分散することができ、血流阻害を抑制することができる。
【００８６】
なお、この第２の実施形態においては、インナーウェアとしてタイツ１を用いて説明したが、サポータ、スパッツ又はスポーツタイツなどの着用者の少なくとも膝関節を周回して覆い体表に密着しているインナーウェアであれば、強締付領域５の第２の領域１６を対応する位置に設けることで、同様の作用効果を奏することができる。
【００８７】
（本発明の第３の実施形態）
図１４はこの発明を実施するための第３の実施形態におけるスパッツを示す正面図である。図１４において、図１〜図１３と同じ符号は、同一または相当部分を示し、その説明を省略する。
スパッツ１７は、前述したタイツ１のフート部４を除いた、パンティ部２およびレッグ部３の二部に大別される。
【００８８】
なお、この第３の実施形態においては、ウエスト・バンド２ｂが、腰天２ａの周縁部がゴムテープなどの第１の伸縮性帯１８ａであり、強締付領域５は、着用者の膝蓋骨すなわち第１の領域８から第１の伸縮性帯１８ａまで延在している。これにより、強締付領域５は第１の伸縮性帯１８ａによって着用者のウエストに係止されている。
【００８９】
また、この第３の実施形態においては、アンクル部３ｃが着用者の下腿部にあればよく（以下、裾３ｄと称す）、裾３ｄの周縁部が口ゴムなどの第２の伸縮性帯１８ｂであり、強締付領域５は、着用者の膝蓋骨すなわち第１の領域８から第２の伸縮性帯１８ｂまで延在している。これにより、強締付領域５は第２の伸縮性帯１８ｂによって着用者の下腿部に係止されている。
【００９０】
なお、この第３の実施形態においては、係止部６が第１の伸縮性帯１８ａおよび第２の伸縮性帯１８ｂであるところのみが第１の実施形態および第２の実施形態と異なるところであり、後述する第１の伸縮性帯１８ａおよび第２の伸縮性帯１８ｂによる作用効果以外は、第１の実施形態および第２の実施形態と同様の作用効果を奏する。
【００９１】
この発明の第３の実施形態のインナーウェアによれば、第１の伸縮性帯１８ａは着用者のウエストを周回し、第２の伸縮性帯１８ｂは着用者の下腿部を周回しているために、第１の実施形態および第２の実施形態における第１の係止部６ａおよび第２の係止部６ｂと比較して、強締付領域５を強固に係止することができ、着用者の体表とインナーウェアとのずれをさらに抑制することができる。
【００９２】
なお、この第３の実施形態においては、強締付領域５を第１の領域８から第１の伸縮性帯１８ａおよび第２の伸縮性帯１８ｂにそれぞれ延在したが、この構成に限られるものではなく、第１の領域８から第１の伸縮性帯１８ａにのみ延在することで、第１の実施形態および第２の実施形態における第１の係止部６ａと比較して大腿部側において強固に係止することができる。
【００９３】
また、第１の領域８から第２の伸縮性帯１８ｂにのみ延在することで、第１の実施形態および第２の実施形態における第２の係止部６ｂと比較して下腿部側において強固に係止することができる。
【００９４】
また、強締付領域５を第１の領域８から第１の伸縮性帯１８ａおよび第２の伸縮性帯１８ｂにそれぞれ延在させ、強締付領域５の一部に第１の係止部６ａまたは第２の係止部６ｂを設けることで、さらに強固に係止することができる。また、大腿部に第１の係止部を有していることにより、座位における腰部からのインナーウェアの浮き上がりが生じた場合であっても、強締付領域を第１の係止部によって係止することができる。
【００９５】
また、着用者の大腿部において、第２の実施形態における第２の領域１６を併用することで、第２の実施形態における作用効果を奏することができる。
さらに、この第３の実施形態においては、インナーウェアとしてスパッツ１７を用いて説明したが、スポーツタイツなどの腰天２ａの周縁部が第１の伸縮性帯１８ａであり裾の周縁部が第２の伸縮性１８ｂであるインナーウェアであれば、強締付領域５を対応する位置に設けることで、第１の伸縮性帯１８ａおよび第２の伸縮性帯１８ｂによる同様の作用効果を奏することができる。
【００９６】
また、この第３の実施形態においては、インナーウェアとしてスパッツ１７を用いて説明したが、タイツ、スポーツタイツなどの腰天２ａの周縁部が第１の伸縮性帯１８ａであれば、強締付領域５を対応する位置に設けることで、第１の伸縮性帯１８ａによる同様の作用効果を奏することができる。
【００９７】
（本発明の第４の実施形態）
図１５はこの発明を実施するための第４の実施形態におけるタイツを示す正面図である。図１５において、図１〜図１４と同じ符号は、同一または相当部分を示し、その説明を省略する。
強締付領域５は、着用者の膝蓋骨すなわち第１の領域８から足裏すなわちソール４ｂまで延在している。なお、この第４の実施形態においては、レッグ部３およびフート部４における強締付領域は、着用者の下腿部において第１の領域８から脚部の長さ方向Ｌに沿った直線部分からなる第３の領域１９ａと、着用者の足部において第３の領域１９ａから二つに分岐して外踝、内踝および足裏の土踏まずを結ぶ帯状の第４の領域１９ｂとからなる。
【００９８】
なお、この第４の実施形態においては、強締付領域５は、第１の領域８からソール４ｂまで延在しているところのみが第１の実施形態、第２の実施形態および第３の実施形態と異なるところであり、後述するソール４ｂまで延在している強締付領域５による作用効果以外は、第１の実施形態、第２の実施形態および第３の実施形態と同様の作用効果を奏する。
【００９９】
この第４の実施形態のインナーウェアによれば、強締付領域５が第１の領域８からソール４ｂまで延在しているために、強締付領域５を足裏と地面または床面とで挟持することで、下腿部側の係止部６として作用させることができ、第１の実施形態および第２の実施形態における第２の係止部６ｂと比較して、強締付領域５を強固に係止することができ、着用者の体表とインナーウェアとのずれをさらに抑制することができる。
【０１００】
なお、この第４の実施形態においては、強締付領域５を第１の領域８からソール４ｂまで延在しているが、強締付領域５を足裏と地面または床面とで挟持することことができるのであれば、強締付領域５をヒール４ａまで延在してもよい。しかしながら、アンクル部３ｃの前身側に位置する部分（足関節部であり下腿部前面と足背との交点である屈曲部）は高い圧迫力を生じやすい部分であり、この部位を締め付けると着用者の自律神経を阻害し、着用者に不快感を生じさせる恐れがあるので、この部位の血流阻害を回避するために、この部位を除いて強締付領域５を設けることが好ましい。
【０１０１】
また、この第４の実施形態においては、強締付領域５を第１の領域８から第１の伸縮性帯１８ａおよびソール４ｂにそれぞれ延在したが、この構成に限られるものではなく、第１の領域８からソール４ｂにのみ延在することで、第１の実施形態および第２の実施形態における第２の係止部６ｂと比較して下腿部側において強固に係止することができる。
【０１０２】
また、強締付領域５を第１の領域８から第１の伸縮性帯１８ａおよびソール４ｂにそれぞれ延在させ、強締付領域５の一部に第１の係止部６ａまたは第２の係止部６ｂを設けることで、さらに強固に係止することができる。
【０１０３】
また、大腿部において第２の実施形態における第２の領域１６を併用することで、第２の実施形態における作用効果を奏することができる。
（本発明の第５の実施形態）
図１６はこの発明を実施するための第５の実施形態におけるスパッツを示す正面図である。図１６において、図１〜図１５と同じ符号は、同一または相当部分を示し、その説明を省略する。
この第５の実施形態においては、スパッツ１７が足掛け２０を有しており、強締付領域５は、着用者の膝蓋骨すなわち第１の領域８から足掛け２０まで延在している。
【０１０４】
なお、この第５の実施形態においては、スパッツ１７が足掛け２０を有しており、強締付領域５が第１の領域８から足掛け２０まで延在しているところのみが第１の実施形態、第２の実施形態、第３の実施形態および第４の実施形態と異なるところであり、後述する第１の領域８から足掛け２０まで延在した強締付領域５による作用効果以外は、第１の実施形態、第２の実施形態、第３の実施形態および第４の実施形態と同様の作用効果を奏する。
【０１０５】
この第５の実施形態のインナーウェアによれば、強締付領域５が第１の領域８から足掛け２０まで延在しているために、強締付領域５を足裏と地面または床面とで挟持することで、下腿部側の係止部６として作用させることができ、第１の実施形態および第２の実施形態における第２の係止部６ｂと比較して、強締付領域５を強固に係止することができ、着用者の体表とインナーウェアとのずれをさらに抑制することができる。
【０１０６】
また、この第５の実施形態においては、高い圧迫力を生じやすいアンクル部３ｃの前身側に位置する部分（足関節部であり下腿部前面と足背との交点である屈曲部）を締め付けることなく、足掛け２０を下腿部側の係止部６として作用させることができる。
【０１０７】
また、足掛け２０は、「座る」動作における膝蓋骨周辺の寸法変化に伴うスパッツ１７の裾３ｄの上がりを防止できる。また、足掛け２０は、歩行時に着用者の土踏まずを適度に圧迫と弛緩とを繰り返すことに繋がり、これがポンプ作用となり、着用者の血流を促進することができる。
【０１０８】
なお、この第５の実施形態においては、強締付領域５を第１の領域８から第１の伸縮性帯１８ａおよび足掛け２０にそれぞれ延在したが、この構成に限られるものではなく、第１の領域８から足掛け２０にのみ延在することで、第１の実施形態および第２の実施形態における第２の係止部６ｂと比較して大腿部側において強固に係止することができる。
【０１０９】
また、強締付領域５を第１の領域８から第１の伸縮性帯１８ａおよび足掛け２０にそれぞれ延在させ、強締付領域５の一部に第１の係止部６ａまたは第２の係止部６ｂを設けることで、さらに強固に係止することができる。
【０１１０】
また、着用者の大腿部において、第２の実施形態における第２の領域１６を併用することで、第２の実施形態における作用効果を奏することができる。
【０１１１】
（本発明の第６の実施形態）
図１７はこの発明を実施するための第６の実施形態におけるスパッツを示す正面図、図１８は図１７に示すスパッツの背面図、図１９は図１７に示すスパッツの左側面図、図２０は図１７に示すスパッツの右側面図である。図１７および図１８において、図１〜図１６と同じ符号は、同一または相当部分を示し、その説明を省略する。
この第６の実施形態においては、着用者の腰部すなわちパンティ２ｃにおける強締付領域５が、太股３ａからパンティ２ｃにおいて３つに分岐しており、パンティ２ｃの前身側において第１の伸縮性帯１８ａまで脚部の長さ方向Ｌに延在する直線部分２１ａと、パンティ２ｃの前身側においてガセット２ｄに沿って延在し左右の脚部から強締付領域５の一部が連結する第１の曲線部分２１ｂと、パンティ２ｃの前身側から腰部外側を通りパンティ２ｃの後身側において第１の伸縮性帯１８ａと連結する第２の曲線部分２１ｃとからなる。
【０１１２】
なお、この第６の実施形態においては、強締付領域５が太股３ａからパンティ２ｃにおいて３つに分岐しているところのみが第１の実施形態、第２の実施形態、第３の実施形態、第４の実施形態および第５の実施形態と異なるところであり、後述する強締付領域５の直線部分２１ａ、第１の曲線部分２１ｂおよび第２の曲線部分２１ｃによる作用効果以外は、第１の実施形態、第２の実施形態、第３の実施形態、第４の実施形態および第５の実施形態と同様の作用効果を奏する。
【０１１３】
この第６の実施形態のインナーウェアによれば、第１の曲線部分２１ｂが着用者の下腹部を左右連結し、第２の曲線部分２１ｃが腰部外側から臀部にかけて締め付けることで、座位における腰部前身側の股関節辺りからのインナーウェアの浮き上がりを抑制することができる。これにより、着用者の体表とインナーウェアとのずれを抑制して強締付領域５による効果を向上することができる。
【０１１４】
（本発明の第７の実施形態）
図２１はこの発明を実施するための第７の実施形態におけるスパッツを示す正面図、図２２は図２１に示すスパッツの背面図、図２３は図２１に示すスパッツの左側面図、図２４は図２１に示すスパッツの右側面図である。図２１〜図２４において、図１〜図２０と同じ符号は、同一または相当部分を示し、その説明を省略する。
この第７の実施形態においては、太股３ａおよびパンティ２ｃにおける強締付領域５が、着用者の膝蓋骨から大腿部にかけて２つに分岐しており、太股３ａの前身側から着用者の大腿内側を通り太股３ａの後身側に延在し着用者の臀部までは延在しない第３の曲線部分２１ｄと、太股３ａの前身側から着用者の腰部外側を通りパンティ２ｃの側面側において第１の伸縮性帯１８ａと連結する第４の曲線部分２１ｅとからなる。また、第１の領域８と裾３ｄとの間の強締付領域５が、着用者の下腿部前面において第３の領域１９ａから二つに分岐して下腿部を周回して下腿部後面で結合し着用者のアキレス腱に沿って裾３ｄに繋がる帯状の第５の領域１９ｃとからなる。
【０１１５】
なお、この第７の実施形態においては、強締付領域５が第３の曲線部分２１ｄ、第４の曲線部分２１ｅおよび第５の領域を有しているところのみが第１の実施形態、第２の実施形態、第３の実施形態、第４の実施形態、第５の実施形態および第６の実施形態と異なるところであり、後述する第３の曲線部分２１ｄ、第４の曲線部分２１ｅおよび第５の領域による作用効果以外は、第１の実施形態、第２の実施形態、第３の実施形態、第４の実施形態、第５の実施形態および第６の実施形態と同様の作用効果を奏する。
【０１１６】
この第７の実施形態のインナーウェアによれば、第３の曲線部分２１ｄが着用者の臀部まで延在しないことにより、着用者の「座る」における臀部のインナーウェアの寸法変化を容易にしたうえで、第３の曲線部分２１ｄがインナーウェアのずり下がりを抑制することができる。すなわち、第３の曲線部分２１ｄが着用者の臀部まで延在した場合には、臀部におけるインナーウェアの寸法変化に対して強締付領域５である第３の曲線部分２１ｄが抵抗となる。特に、「座る」における臀部のインナーウェアの寸法増加に強締付領域５である第３の曲線部分２１ｄが追従するために、インナーウェアのウエストが下がることとなる。
【０１１７】
なお、第３の曲線部分２１ｄが着用者の臀部まで延在しなくとも、太股３ａの前身側から着用者の大腿内側を通り太股３ａの後身側に強締付領域５が延在しているので、「座る」における膝蓋骨周辺の第１の領域８に張力を発生させ、「立つ」における編地の回復力が大腿直筋等を支援する効果を奏する。また、第３の曲線部分２１ｄを着用者の臀部の下（臀溝部分）に延在させる場合には、インナーウェアによる着用者のヒップアップの効果も奏する。
【０１１８】
また、第４の曲線部分２１ｅが着用者の腰部外側を延在することで、「座る」のインナーウェアのずり下がりを抑え、膝蓋骨から大腿部および下腿部に延在する強締付領域５による効果を向上させることができる。
【０１１９】
また、着用者のヒラメ筋およびアキレス腱付近に強締付領域５の第３の領域および第５の領域を配置していることで、歩行時の筋負担を減少でき、急激な筋の伸長による着用者の怪我を防止することができる。
【図面の簡単な説明】
【０１２０】
【図１】この発明を実施するための第１の実施形態におけるタイツを示す正面図である。
【図２】図１に示すタイツにおける強締付領域の編組織概略構成図である。
【図３】テーピング方法を示した説明図であり、（ａ）はＳタイプによる脚のテーピング方法を示した説明図、（ｂ）はＸタイプによる脚のテーピング方法を示した説明図である。
【図４】テープおよびタイツ素材の伸長特性を示したグラフであり、（ａ）は長さ方向におけるテープおよびタイツ素材の伸長特性を示したグラフ、（ｂ）は幅方向におけるテープおよびタイツ素材の伸長特性を示したグラフである。
【図５】筋電位の測定部位を示した説明図である。
【図６】「立つ」と「座る」の運動時に記録された波形を示した筋電図であり、（ａ）は「立つ」と「座る」の運動時に記録された生波形を示した筋電図、（ｂ）は図６（ａ）に示す生波形を整流した波形を示した筋電図である。
【図７】素足にテーピングを行なった場合の「立つ」と「座る」の運動時の積分筋電図である。
【図８】素足にテーピングを行なった場合の大腿直筋および外側広筋の積分筋電図の変化率を示したグラフである。
【図９】タイツにテーピングを行なった場合の「立つ」と「座る」の運動時の積分筋電図である。
【図１０】タイツにテーピングを行なった場合の大腿直筋および外側広筋の積分筋電図の変化率を示したグラフである。
【図１１】立位および椅座位におけるタイツ着用時の衣服圧の分布を示すグラフである。
【図１２】「立つ」における大腿直筋と外側広筋との積分筋電図の変化率の関係を示すグラフである。
【図１３】この発明を実施するための第２の実施形態におけるタイツを示す正面図である。
【図１４】この発明を実施するための第３の実施形態におけるスパッツを示す正面図である。
【図１５】この発明を実施するための第４の実施形態におけるタイツを示す正面図である。
【図１６】この発明を実施するための第５の実施形態におけるスパッツを示す正面図である。
【図１７】この発明を実施するための第６の実施形態におけるスパッツを示す正面図である。
【図１８】図１７に示すスパッツの背面図である。
【図１９】図１７に示すスパッツの左側面図である。
【図２０】図１７に示すスパッツの右側面図である。
【図２１】この発明を実施するための第７の実施形態におけるスパッツを示す正面図である。
【図２２】図２１に示すスパッツの背面図である。
【図２３】図２１に示すスパッツの左側面図である。
【図２４】図２１に示すスパッツの右側面図である。
【符号の説明】
【０１２１】
１    タイツ
２    パンティ部
２ａ  腰天
２ｂ  ウエスト・バンド
２ｃ  パンティ
２ｄ  ガセット
３    レッグ部
３ａ  太股
３ｂ  レッグ
３ｃ  アンクル
３ｄ  裾
４    フート部
４ａ  ヒール
４ｂ  ソール
４ｃ  トウ
５    強締付領域
５ａ  上端
５ｂ  下端
６    係止部
６ａ  第１の係止部
６ｂ  第２の係止部
７    ベース生地部
８    第１の領域
９ａ  地編糸
９ｂ  他の編糸
１０  テープ
１１  膝蓋骨中点
１２  脚部
１３  大腿直筋
１４  外側広筋
１５  大腿二頭筋
１６  第２の領域
１７  スパッツ
１８ａ  第１の伸縮性帯
１８ｂ  第２の伸縮性帯
１９ａ  第３の領域
１９ｂ  第４の領域
１９ｃ  第５の領域
２０  足掛け
２１ａ  直線部分
２１ｂ  第１の曲線部分
２１ｃ  第２の曲線部分
２１ｄ  第３の曲線部分
２１ｅ  第４の曲線部分
【図１】
0004719884.tif 000003
【図２】
0004719884.tif 000004
【図３】
0004719884.tif 000005
【図４】
0004719884.tif 000006
【図５】
0004719884.tif 000007
【図６】
0004719884.tif 000008
【図７】
0004719884.tif 000009
【図８】
0004719884.tif 000010
【図９】
0004719884.tif 000011
【図１０】
0004719884.tif 000012
【図１１】
0004719884.tif 000013
【図１２】
0004719884.tif 000014
【図１３】
0004719884.tif 000015
【図１４】
0004719884.tif 000016
【図１５】
0004719884.tif 000017
【図１６】
0004719884.tif 000018
【図１７】
0004719884.tif 000019
【図１８】
0004719884.tif 000020
【図１９】
0004719884.tif 000021
【図２０】
0004719884.tif 000022
【図２１】
0004719884.tif 000023
【図２２】
0004719884.tif 000024
【図２３】
0004719884.tif 000025
【図２４】
0004719884.tif 000026